(57)【要約】  本発明は、搬送トラック（１１）の側面（１３，１４）に沿ってスライドするように形成された側面（６）と、上記トラック（１１）の底面（１２）に沿ってスライドするように形成された少なくとも一つの支持面（５）とを有する、搬送トラック（１１）で搬送される物体のためのブレーキ装置（１）であって、該装置（１）が母体（１）と、該母体（２）に可動に配されかつ側面（６）に形成された開口（７，８，９）を通して側面（６）から突出できるように配されたブレーキ要素（３）とを有し、第一開口（７）は、搬送中、搬送トラック（１１）の搬送方向に配されるブレーキ装置（１）の部分に形成され、第二開口（８）そして第三開口（９）は、搬送中、搬送方向に対しほぼ横方向で、上記ブレーキ装置（１）の部分に形成され、ブレーキ要素（３）は、無荷重状態では、第一開口（７）を経て側面（６）から突出し、荷重状態では、上記第一開口（７）では装置（１）内へ押込まれそして他の二つの開口（８，９）では側面（６）から外方へ押し出されることを特徴とするブレーキ装置に関する。本発明は、又、かかるブレーキ装置を用いる機構そしてそのための方法にも関している。
2005515136.tif 000002
【特許請求の範囲】
【請求項１】
搬送トラック（１１）の側面（１３，１４）に沿ってスライドするように形成された側面（６）と、上記トラック（１１）の底面（１２）に沿ってスライドするように形成された少なくとも一つの支持面（５）とを有する、搬送トラック（１１）で搬送される物体のためのブレーキ装置（１）において、母体（２）と、該母体（２）に可動に配されかつ側面（６）に形成された開口（７，８，９）を通して側面（６）から突出できるように配されたブレーキ要素（３）とを有し、第一開口（７）は、搬送中、搬送トラック（１１）の搬送方向に配されるブレーキ装置（１）の部分に形成され、第二開口（８）そして第三開口（９）は、搬送中、搬送方向に対しほぼ横方向で、上記ブレーキ装置（１）の部分に形成され、ブレーキ要素（３）は、無荷重状態では、第一開口（７）を経て側面（６）から突出し、荷重状態では、上記第一開口（７）では装置（１）内へ押込まれそして他の二つの開口（８，９）では側面（６）から外方へ押し出されることを特徴とするブレーキ装置。
【請求項２】
ブレーキ要素（３）は、無荷重状態で、搬送トラック（１１）の搬送方向に側面（６）から突出するようになっている脚（１９）と、荷重状態で、搬送方向に対して横方向に側面（６）から突出するようになっている第一脚（２０）と第二脚（２１）とを有していることとする請求項１に記載のブレーキ装置。
【請求項３】
無荷重状態で、側面（６）から突出するようになっているブレーキ要素（３）の部分は横部材（１０）を有していることとする請求項２に記載のブレーキ装置。
【請求項４】
母体（２）が熱硬化性プラスチックあるいは金属のような剛性材料で作られていることとする請求項１ないし請求項３のうちの一つに記載のブレーキ装置。
【請求項５】
ブレーキ要素（３）が、少なくとも部分的に、ゴムのような弾性材料で作られていることとする請求項１ないし請求項４のうちの一つに記載のブレーキ装置。
【請求項６】
ゴムの硬度がショア硬度で８０〜９０であることとする請求項５に記載のブレーキ装置。
【請求項７】
無荷重状態で、側面（６）から突出するブレーキ要素（３）の部分は補強要素を有していることとする請求項１ないし請求項４のうちの一つに記載のブレーキ装置。
【請求項８】
母体（２）の溝（４）は、荷重時に突出するブレーキ要素（３）の部分同士間で約３０°をなすような角度αを有していることとする請求項１ないし請求項７のうちの一つに記載のブレーキ装置。
【請求項９】
底面（１２）と、第一側面（１３）そして第二側面（１４）と、少なくとも第一上面（１５）そして第二上面（１６）とが形成された搬送トラック（１１）を有する機構であって、該機構は上記上面に沿って移動するように配された少なくとも一つの支持手段（１７）と、両方の側面（１３，１４）の間でトラック（１１）内を移動するように配されて上記支持手段に接続されたブレーキ装置とを備え、該ブレーキ装置（１）が少なくとも一つの側面（６）と少なくとも一つの支持面（５）とを有する搬送機構において、ブレーキ装置（１）は、母体（１）と、該母体（２）に可動に配されかつ側面（６）に形成された開口（７，８，９）を通して側面（６）から突出できるように配されたブレーキ要素（３）とを有し、第一開口（７）は、搬送中、搬送トラック（１１）の搬送方向に配されるブレーキ装置（１）の部分に形成され、第二開口（８）そして第三開口（９）は、搬送中、搬送方向に対しほぼ横方向で、上記ブレーキ装置（１）の部分に形成され、ブレーキ要素（３）は、無荷重状態では、第一開口（７）を経て側面（６）から突出し、荷重状態では、上記第一開口（７）では装置（１）内へ押込まれそして他の二つの開口（８，９）では側面（６）から外方へ押し出されることを特徴とする搬送機構。
【請求項１０】
底面（１２）と、第一側面（１３）そして第二側面（１４）と、少なくとも第一上面（１５）そして第二上面（１６）とが形成された搬送トラック（１１）に沿って搬送される複数の物体のためのブレーキ方法であって、該物体が複数の物体のうちの一つに接続されてトラック（１１）内で物体同士間に配されているブレーキ装置（１）を有し、物体に衝突したときに圧力を受けるようにするブレーキ方法において、ブレーキ装置に設けられてブレーキ要素（３）に、搬送トラックの搬送方向で配されたブレーキ要素（３）の部分がブレーキ装置（１）内へ押込められるような圧力を作用せしめ、その結果、ブレーキ要素（３）の他の部分がブレーキ装置（１）から横方向へ突出させ、トラックの側面（１３，１４）と接触させることにより物体を個々にブレーキをかけることとするブレーキ方法。
【請求項１１】
ブレーキ要素（３）は無荷重状態でブレーキ装置の側面（６）から横方向に部分的に突出することとする請求項１０に記載のブレーキ方法。
【請求項１２】
ブレーキ要素（３）は無荷重状態でブレーキ装置の側面（６）から横方向に突出しないこととする請求項１０に記載のブレーキ方法。
【発明の詳細な説明】
【技術的分野】
【０００１】
本発明は、搬送トラックの側面に沿ってスライドするように形成された側面と、上記トラックの底面に沿ってスライドするように形成された少なくとも一つの支持面とを有する、搬送トラックで搬送される物体のためのブレーキ装置に関する。また、本発明は、底面と、第一側面そして第二側面と、少なくとも第一上面そして第二上面とが形成された搬送トラックを有する搬送のための機構であって、該機構が上記上面に沿って移動するように配された少なくとも一つの支持手段と、両方の側面の間でトラック内を移動するように配されて上記支持手段に接続されたブレーキ装置とを備え、該ブレーキ装置が少なくとも一つの側面と少なくとも一つの支持面とを有する搬送機構にも関する。本発明は、さらには、底面と、第一側面そして第二側面と、少なくとも第一上面そして第二上面とが形成された搬送トラックに沿って搬送される複数の物体のためのブレーキ方法であって、該物体が複数の物体のうちの一つに接続されたトラック内で物体同士間に配されているブレーキ装置を有し、物体に衝突したときに圧力を受けるようにするブレーキ方法にも関する。
【発明の背景】
【０００２】
工場内での異なるステーション間で物体を移動させるために用いられるような搬送装置は、通常、ベルトあるいはチェーンの形態の搬送トラックを有している。搬送トラックは縦側面をもった溝形成体内にある。また、これに代えて、これらは溝形成体の水平上面に位置し、あるいは他の方法で配されている。
【０００３】
搬送されるべき物体は、搬送トラックに対し、直接あるいは公知のパレットのように支持手段を介して、スライド可能に設けられている。
【０００４】
パレットが搬送装置に沿って搬送されワークステーションに達すると、ストッパにより停止される。そして、パレット上の荷の加工作業が開始される。
【０００５】
各パレットが各ワークステーションで同一時間停止してワークを同じ条件とすることが困難なときには、ワークステーションの前でパレットが行列待機状態をなしてしまう虞れがある。ワークステーション前で行われるブレーキが前方のパレットとのパレットの衝突によるものであることは好ましくない。もし、ワークが前方のパレットにて搬送されていると、このワークに損傷を与える虞れがある。
【０００６】
この問題を解決するために、ゴムの緩衝材をもつパレットが試みられてきた。
【０００７】
しかしながら、これによっては必要な緩衝効果が得られないことが判り、この問題を効果的に解決されないままである。
【０００８】
US4605121は、上述の問題を解決するために、搬送トラック上の物体にブレーキをかけるブレーキ装置を開示している。ここでは、ブレーキがかけられるべき物体あるいはパレット同士の間に弾性要素が配設されている。後方のパレットがこのブレーキ装置によりブレーキをかけられるときに生ずる圧力のもとに、このブレーキ装置は搬送方向で圧縮される。これは、搬送方向と直角な方向にこのブレーキ装置を拡張する結果をもたらす。この拡張が生ずると、ブレーキ装置は、その寸法変化によって、搬送トラックの縦側壁面に圧接する。ブレーキ装置とこの側壁面との間に生ずる摩擦力により、パレットにブレーキ力が作用する。しかしながら、この構造のものは、ブレーキ効果の変化範囲をきわめて限られたものとしている。したがって、ブレーキ効果をもっと広い範囲で得られるブレーキ装置が必要となる。
【発明の要約】
【０００９】
このような問題は、母体と、該母体に可動に配されかつ側面に形成された開口を通して側面から突出できるように配されたブレーキ要素とを有し、第一開口は、搬送中、搬送トラックの搬送方向に配されるブレーキ装置の部分に形成され、第二開口そして第三開口は、搬送中、搬送方向に対しほぼ横方向で、上記ブレーキ装置の部分に形成され、ブレーキ要素は、無荷重状態では、第一開口を経て側面から突出し、荷重状態では、上記第一開口では装置内へ押込まれそして他の二つの開口では側面から外方へ押し出されることとする本発明により解決される。
【００１０】
母体に対して可動なブレーキ要素を設けたことにより、ブレーキ効果の変化範囲の自由度が先行技術における可能性に比して大きく得られる。ブレーキ効果は、異なる大きさのブレーキ要素を用いることによって変えることができる。先行技術では、大体の形が決まってしまい、ブレーキ効果を変更する可能性はゴムの特性を変えることである。本発明によると、ブレーキ装置のブレーキ効果は大きな変化範囲を得られる。ブレーキ要素の形状により、ブレーキ装置は、後方からパレットが衝突しても、より大きなブレーキ効果が、少なくとも搬送方向で得られる。もし、ブレーキ装置の側面から突出する部分の外面が側面の曲面と適合するようにブレーキ要素が形状づけられているならば、これらの前部が釣針状に突出してブレーキ効果を増長する。
【００１１】
本発明装置の他の利点は、支持手段が行列待機状態にあるときに、各支持手段が搬送トラック内で傾斜しないように分離されることにある。これは、ブレーキ要素が搬送方向に対して側方向に向けてブレーキ装置の側面から突出し、かくして支持手段の前進を案内していることによるものである。
【００１２】
ブレーキ要素の形態では、好ましくは、ブレーキ装置に設けられた支持手段にブレーキをかけるために搬送方向に対し側方へ、ブレーキ装置の側面から突出するようにした二つの脚を有する。ブレーキ要素は、又、搬送方向でブレーキ装置の側面から突出して衝突によりブレーキ装置内に押込められる脚を有する。
【００１３】
支持手段あるいはパレット同士間での衝突に圧力を受ける面積を増大するためには、無荷重状態で側面から突出するように設けられているブレーキ要素の部分に横部材を設けることができる。さらには、ブレーキ装置の機能を向上させるためには、上記横部材、もしブレーキ要素が横部材を有していないときには、無荷重状態で側面から突出するブレーキ要素の対応部材は、補強要素を有するようにすることができる。
【００１４】
ブレーキ装置の母体は、好ましくは、剛体材料で作られる。適切な材料としては、熱硬化性プラスチックあるいは金属である。
【００１５】
ブレーキ要素は、好ましくは、少なくとも部分的にゴム等の弾性材料から作られる。ゴムの硬度は要求条件によって変えることができる。好ましい硬度範囲はショア硬度で８０〜９０である。
【００１６】
上述のごとく、ブレーキ効果はブレーキ要素の形態により変えられる。これは、例えば、荷重を受けたときの突出部分同士間の角度αの設定で実行できる。装置が機能するためには、ブレーキ要素の上記角度αの領域と母体の対応部分との間に隙間がなくてはならない。隙間あるいは空間は、無荷重状態で突出する部分を母体の方へ移動させるために必要相当分だけ形成される。母体の対応部分とは、ブレーキ要素の二つの突出部分が設けられている母体の部分を意味する。角度αは好ましくは２０〜４０°、さらに好ましくは約３０°である。
【００１７】
本発明は、上述のブレーキ装置を有する機構にも関している。
【００１８】
この機構は、底面と、第一側面そして第二側面と、少なくとも第一上面そして第二上面とが形成された搬送トラックを有しており、該機構は上記上面に沿って移動するように配された少なくとも一つの支持手段を有している。該ブレーキ装置は、両方の側面の間でトラック内を移動するように配されて上記支持手段に接続されている。本発明によるこの機構は、上述のブレーキ装置のすべての変形例を包含できる。
【００１９】
本発明の一つの形態によると、ブレーキ装置は、また、支持手段のためのガイド手段をも形成する。他の形態では、上記機構はガイド手段とは別体のブレーキ手段を有する。
【００２０】
本発明は、物体にブレーキをかける方法にも関しており、ブレーキ装置に設けられたブレーキ要素に、搬送トラックの搬送方向で配されたブレーキ要素の部分がブレーキ装置内へ押込められるような圧力を作用せしめ、その結果、ブレーキ要素の他の部分がブレーキ装置から横方向へ突出させ、トラックの側面と接触させることにより物体を個々にブレーキをかける。
【００２１】
本発明の一形態による方法では、ブレーキ要素は無荷重状態でブレーキ装置の側面から横方向に部分的に突出している。他の形態では、ブレーキ要素は無荷重状態でブレーキ装置の側面から横方向に突出していない。
【００２２】
ブレーキ装置そして機構に関しての既述の種々の変形例が本発明方法に、又、その逆に適用可能である。
【好適な実施形態】
【００２３】
図１は無荷重状態での本発明のブレーキ装置１を示している。ブレーキ装置１は概ね円筒状形状を有している。このブレーキ１は他の形にすることも可能である。大きさは、後述の搬送トラックのためのブレーキ装置の能力によって決定される。ブレーキ装置１は熱硬化性プラスチック、例えばアセタールプラスチックで作られた母体２と、ゴム、例えばポリウレタンゴムで作られたブレーキ要素３とを有している。母体２は、比較的剛性の大きい他の材料、例えば金属で作ることもできる。ブレーキ要素３は好ましくはゴムで作られるが、他の弾性材料でも作れる。ブレーキ要素３は全体が弾性材料で作られている必要はない。このブレーキ要素の中に、例えば金属あるいは熱硬化性プラスチックから作られる補強要素を配するということも可能である。
【００２４】
ブレーキ装置１は支持面５と側面６とを有している。ブレーキ要素３は母体２に形成された溝内に可動に配されている。ブレーキ装置１は第一開口７、第二開口８そして第三開口９を有し、これらを通してブレーキ要素３の突出部分１９，２０，２１が突出可能となっている。これらの突出部分１９，２０，２１は脚状となっている。ブレーキ要素３は概ねＹ字状をなしている。無荷重状態で側面６から突出するブレーキ要素３の部分１９は横部材１０を有している。無荷重状態で、この横部材１０はブレーキ装置の側面６から離れている。無荷重状態で、ブレーキ要素は第二開口８や第三開口９から突出しないで、第一開口７のみから突出する。しかし、本発明の範囲において、そうすることも可能である。
【００２５】
母体２における溝４は、ブレーキ要素３と母体との間に、ブレーキ要素の脚の領域で、間隙Ｖをもつように形成されている。ブレーキ要素の脚とは、第一開口７から突出するブレーキ要素の部分に対して圧力が作用したときに、ブレーキ装置の側面６における第二開口そして第三開口から突出するようになっているブレーキ要素はこれらの部分を指す。これらの脚は互いに角度αをなしている。
【００２６】
図３は本発明による搬送パレットのための機構を示している。この装置は、コンベアチェーンをもつ底面１２と、二つのガイドレールの側面を形成する第一側面１３そして第二側面１４と、そしてガイドレールの上面をなす少なくとも第一上面１５と第二上面１６と、を有する搬送トラック１１を備えている。本発明の範囲では、搬送トラックは、図示の方法以外の形態とすることもできる。搬送物品のためのパレット１７は搬送トラック１１に沿って移動するように配設されている。各パレット１７の下にはパレット１７の両端１７ａ，１７ｂに設けられているブレーキ装置１が接続されている。搬送方向は二つの異なる方向に往復動することがあるので、図３にて内側と外側にて、ブレーキ装置１は各パレット１７に設けられている。搬送方向に係りなく、ブレーキ機能は同様に作用する。ブレーキ装置１は搬送トラック１１内を走行する。図３はカバー１８によって覆われたブレーキ装置を示している。カバー１８はブレーキ装置の保護のためであり、省略することもできる。
【００２７】
ブレーキ装置の第一開口７は、搬送中に、トラック１１の搬送方向に配されるブレーキ装置の側面６のその部分に位置する。ブレーキ装置の第二開口８と第三開口９は、搬送方向との関連でブレーキ装置の側面で横方向に位置している。
【００２８】
図２は、ブレーキ要素３がパレット１７同士間で衝突したときに圧力を受けている状態を示している。パレットに接続されているブレーキ要素３が前方のパレット１７に当接すると、ブレーキ要素３は搬送方向でブレーキ装置１の内方へ押される。圧力がブレーキ要素３を介して伝達されると、ブレーキ要素３は第二開口８そして第三開口９で横方向に突出する。ブレーキ要素３の脚２０が開口８から突出し、脚２１は開口９から突出する。ブレーキ要素３のこれらの突出部分は搬送トラックの側面１３，１４と接触するようになり、各パレット１７は個々にブレーキを受ける。
【００２９】
図３は、ブレーキ要素が見えるように、複数のパレット１７のうちの一つについて部分破断して示す図である。明確にするために、カバー１８は全く図示されていない。この図から、搬送トラックの側面１４に対するブレーキ要素３のブレーキ作用が理解される。
【図面の簡単な説明】
【００３０】
【図１】無荷重状態における本発明のブレーキ装置を示す。
【図２】荷重状態における本発明のブレーキ装置を示す。
【図３】本発明による搬送機構を示す。
【図１】
2005515136.tif 000003
【図２】
2005515136.tif 000004
【図３】
2005515136.tif 000005
【手続補正書】
【提出日】平成15年5月13日(2003.5.13)
【手続補正１】
【補正対象書類名】特許請求の範囲
【補正対象項目名】全文
【補正方法】変更
【補正の内容】
【特許請求の範囲】
【請求項１】
搬送トラック（１１）の側面（１３，１４）に沿ってスライドするように形成された側面（６）と、上記トラック（１１）の底面（１２）に沿ってスライドするように形成された少なくとも一つの支持面（５）とを有する、搬送トラック（１１）で搬送される物体のためのブレーキ装置（１）であって、該装置が、母体（２）と、該母体（２）に可動に配されたブレーキ要素（３）とを有し、該ブレーキ要素（３）は、無荷重状態で、搬送トラック（１１）の搬送方向で側面（６）から突出するように設けられた第一脚（１９）と、荷重状態で、側面（６）に形成された開口（７，８，９）を通して側面（６）から突出するように設けられた第二脚（２０）と第三脚（２１）とを有し、第一開口（７）は、搬送中、搬送トラック（１１）の搬送方向に位置するブレーキ装置（１）の部分に形成され、第二開口（８）そして第三開口（９）は、搬送中、搬送方向に対しほぼ横方向に位置する上記ブレーキ装置（１）の部分に形成され、第一脚１９は無荷重状態では、第一開口（７）を経て側面（６）から突出し、ブレーキ要素（３）は、荷重状態では、上記第一開口（７）で装置（１）内へ押込まれ、第二脚（２０）と第三脚（２１）は他の二つの開口（８，９）で側面（６）から外方へ押し出され、第二脚（２０）と第三脚（２１）が角度αを形成しているブレーキ装置において、ブレーキ要素（３）は主として弾性材料から作られていると共に第二脚（２０）と第三脚（２１）とでなす角度が荷重状態よりも無荷重状態で小さくなっていて、荷重状態で第二脚（２０）と第三脚（２１）を側面（６）から突出せしめ、荷重が除去されたときブレーキ要素（３）が弾性により原形に戻ることを特徴とするブレーキ装置。
【請求項２】
ブレーキ要素（３）と母体（２）の角度αの領域における対応部分との間に間隙があることとする請求項１に記載のブレーキ装置。
【請求項３】
無荷重状態で、側面（６）から突出するようになっているブレーキ要素（３）の部分は横部材（１０）を有していることとする請求項２に記載のブレーキ装置。
【請求項４】
母体（２）が熱硬化性プラスチックあるいは金属のような剛性材料で作られていることとする請求項１ないし請求項３のうちの一つに記載のブレーキ装置。
【請求項５】
ブレーキ要素（３）が、少なくとも部分的に、ゴムのような弾性材料で作られていることとする請求項１ないし請求項４のうちの一つに記載のブレーキ装置。
【請求項６】
ゴムの硬度がショア硬度で８０〜９０であることとする請求項５に記載のブレーキ装置。
【請求項７】
無荷重状態で、側面（６）から突出するブレーキ要素（３）の部分は補強要素を有していることとする請求項１ないし請求項４のうちの一つに記載のブレーキ装置。
【請求項８】
母体（２）の溝（４）は、荷重時に突出するブレーキ要素（３）の部分同士間で約３０°をなすような角度αを有していることとする請求項１ないし請求項７のうちの一つに記載のブレーキ装置。
【請求項９】
底面（１２）と、第一側面（１３）そして第二側面（１４）と、少なくとも第一上面（１５）そして第二上面（１６）とが形成された搬送トラック（１１）を有する機構であって、該機構は上記上面に沿って移動するように配された少なくとも一つの支持手段（１７）と、両方の側面（１３，１４）の間でトラック（１１）内を移動するように配されて上記支持手段に接続されたブレーキ装置とを備え、該ブレーキ装置が少なくとも一つの側面（６）と少なくとも一つの支持面（５）を有し、該ブレーキ要素（３）は、無荷重状態で、搬送トラック（１１）の搬送方向で側面（６）から突出するように設けられた第一脚（１９）と、荷重状態で、側面（６）に形成された開口（７，８，９）を通して側面（６）から突出するように設けられた第二脚（２０）と第三脚（２１）とを有し、第一脚１９は無荷重状態では、第一開口（７）を経て側面（６）から突出し、ブレーキ要素（３）は、荷重状態では、上記第一開口（７）で装置（１）内へ押込まれ、第二脚（２０）と第三脚（２１）は他の二つの開口（８，９）で側面（６）から外方へ押し出され、第二脚（２０）と第三脚（２１）が角度αを形成しているブレーキ装置において、ブレーキ要素（３）は主として弾性材料から作られていると共に第二脚（２０）と第三脚（２１）とでなす角度が荷重状態よりも無荷重状態で小さくなっていて、荷重状態で第二脚（２０）と第三脚（２１）を側面（６）から突出せしめ、荷重が除去されたときブレーキ要素（３）が弾性により原形に戻ることを特徴とする搬送機構。
【請求項１０】
底面（１２）と、第一側面（１３）そして第二側面（１４）と、少なくとも第一上面（１５）そして第二上面（１６）とが形成された搬送トラック（１１）に沿って搬送される複数の物体のためのブレーキ方法であって、該物体が複数の物体のうちの一つに接続されてトラック（１１）内で物体同士間に配されているブレーキ装置（１）を有し、物体に衝突したときに圧力を受けるようにするブレーキ方法であって、ブレーキ装置は、主として弾性材料から作られたブレーキ要素（３）を有し、該ブレーキ要素（３）は、無荷重状態で、搬送トラック（１１）の搬送方向で側面（６）から突出するように設けられた第一脚（１９）と、荷重状態で、搬送方向に対し側方に向け側面（６）から突出するように設けられた第二脚（２０）と第三脚（２１）とを有し、第二脚（２０）と第三脚（２１）が角度αを形成し、ブレーキ装置（１）に、搬送トラックの搬送方向で配されたブレーキ要素（３）の第一脚（１９）がブレーキ装置（１）内へ押込められるような圧力を作用せしめ、その結果、第二脚（２０）と第三脚（２１）との間の角度を増大せしめ、第二脚（２０）と第三脚（２１）がブレーキ装置（１）から横方向へ突出させ、トラックの側面（１３，１４）と接触させることにより物体を個々にブレーキをかけることとするブレーキ方法。
【請求項１１】
ブレーキ要素（３）は無荷重状態でブレーキ装置の側面（６）から横方向に部分的に突出することとする請求項１０に記載のブレーキ方法。
【請求項１２】
ブレーキ要素（３）は無荷重状態でブレーキ装置の側面（６）から横方向に突出しないこととする請求項１０に記載のブレーキ方法。
【国際調査報告】
2005515136.tif 000006
2005515136.tif 000007
2005515136.tif 000008